(57)【要約】      （修正有）【課題】本考案は、極めて商品価値の高い見開き構造体を提供する。【解決手段】対向する第一方形体１及び第二方形体２が連設され、この第一方形体１及び第二方形体２同士が折り畳み重合可能及び展開可能に構成された見開き構造体であって、前記第一方形体１は、一端３ａが前記第一方形体１の上側縁１ｂの所定位置に、他端３ｂが前記第一方形体１の外側縁の所定位置に連設される折れ線３に沿って内側に折り畳み重合可能及び展開可能な可動板部４と、残余の固定板部とで構成され、前記可動板部４を前記固定板部に対して折り畳み重合した状態において前記第一方形体１と前記第二方形体２とを折り畳み重合可能に構成されたものである。【選択図】図２
0003182827.tif 000002
【実用新案登録請求の範囲】
【請求項１】
対向する第一方形体及び第二方形体が連設され、この第一方形体及び第二方形体同士が折り畳み重合可能及び展開可能に構成された見開き構造体であって、前記第一方形体は、一端が前記第一方形体の上側縁の所定位置に、他端が前記第一方形体の外側縁の所定位置に連設される折れ線に沿って内側に折り畳み重合可能及び展開可能な可動板部と、残余の固定板部とで構成され、前記可動板部を前記固定板部に対して折り畳み重合した状態において前記第一方形体と前記第二方形体とを折り畳み重合可能に構成されており、また、前記可動板部と前記固定板部には、前記可動板部を前記固定板部に対して折り畳み重合した際には倒伏状態となり、前記可動板部を前記固定板部に対して展開した際には起立状態となる立体が跨って設けられていることを特徴とする見開き構造体。
【請求項２】
請求項１記載の見開き構造体において、前記折れ線の他端は、前記第一方形体の外側縁の中央位置から上側の所定位置に連設されており、前記第一方形体の内面部にして少なくとも中央部位から下方は文字やデザインなどの表現手段を表示する表示領域に設定されていることを特徴とする見開き構造体。
【請求項３】
請求項１，２いずれか１項に記載の見開き構造体において、前記折れ線の一端は、前記第一方形体の上側縁の最内側点と連設されていることを特徴とする見開き構造体。
【請求項４】
請求項１〜３いずれか１項に記載の見開き構造体において、前記立体は前記可動板部を前記固定板部に対して折り畳み重合した際、前記第一方形体に納まる形状であることを特徴とする見開き構造体。
【請求項５】
請求項１〜４いずれか１項に記載の見開き構造体において、前記第二方形体の内面部にはカードを保持するカード保持部が設けられていることを特徴とする見開き構造体。
【請求項６】
請求項１〜５いずれか１項に記載の見開き構造体において、前記第一方形板体及び前記第二方形体は紙製の方形片であることを特徴とする見開き構造体。
【考案の詳細な説明】
【技術分野】
【０００１】
本考案は、例えば結婚式の招待状などに用いられる見開き構造体に関するものである。
【背景技術】
【０００２】
従来から、例えば特開平８−１０４０８３号に開示されるような対向する方形体同士を開いた際に立体が起立状態となる見開き構造体（以下、従来例）が提案されている。
【０００３】
具体的には、この従来例は、対向する方形体夫々の内側縁同士を連設し、この方形体同士が折り畳み重合可能及び展開可能に構成されたものであり、この方形体同士の間には立体が設けられ、この立体は、方形体同士を折り畳み重合した際には倒伏状態となり、且つ、方形体同士を展開した際には起立状態となる。
【先行技術文献】
【特許文献】
【０００４】
【特許文献１】特開平８−１０４０８３号公報
【考案の概要】
【考案が解決しようとする課題】
【０００５】
本考案者は、前述したような方形体を展開した際、立体が起立する見開き構造体について更なる研究・開発を進め、その結果、極めて商品価値の高い実用的な見開き構造体を考案した。
【課題を解決するための手段】
【０００６】
添付図面を参照して本考案の要旨を説明する。
【０００７】
対向する第一方形体１及び第二方形体２が連設され、この第一方形体１及び第二方形体２同士が折り畳み重合可能及び展開可能に構成された見開き構造体であって、前記第一方形体１は、一端３ａが前記第一方形体１の上側縁１ｂの所定位置に、他端３ｂが前記第一方形体１の外側縁１ｃの所定位置に連設される折れ線３に沿って内側に折り畳み重合可能及び展開可能な可動板部４と、残余の固定板部５とで構成され、前記可動板部４を前記固定板部５に対して折り畳み重合した状態において前記第一方形体１と前記第二方形体２とを折り畳み重合可能に構成されており、また、前記可動板部４と前記固定板部５には、前記可動板部４を前記固定板部５に対して折り畳み重合した際には倒伏状態となり、前記可動板部４を前記固定板部５に対して展開した際には起立状態となる立体６が跨って設けられていることを特徴とする見開き構造体に係るものである。
【０００８】
また、請求項１記載の見開き構造体において、前記折れ線３の他端３ｂは、前記第一方形体１の外側縁１ｃの中央位置から上側の所定位置に連設されており、前記第一方形体１の内面部にして少なくとも中央部位から下方は文字やデザインなどの表現手段を表示する表示領域７に設定されていることを特徴とする見開き構造体に係るものである。
【０００９】
また、請求項１，２いずれか１項に記載の見開き構造体において、前記折れ線３の一端３ａは、前記第一方形体１の上側縁１ｂの最内側点１ｂ’と連設されていることを特徴とする見開き構造体に係るものである。
【００１０】
また、請求項１〜３いずれか１項に記載の見開き構造体において、前記立体６は前記可動板部４を前記固定板部５に対して折り畳み重合した際、前記第一方形体１に納まる形状であることを特徴とする見開き構造体に係るものである。
【００１１】
また、請求項１〜４いずれか１項に記載の見開き構造体において、前記第二方形体２の内面部にはカード９を保持するカード保持部８が設けられていることを特徴とする見開き構造体に係るものである。
【００１２】
また、請求項１〜５いずれか１項に記載の見開き構造体において、前記第一方形板体１及び前記第二方形体２は紙製の方形片であることを特徴とする見開き構造体に係るものである。
【考案の効果】
【００１３】
本考案は上述のように構成したから、従来にない使用形態が得られ、この種の製品の商品価値を飛躍的に向上することができるなど、極めて商品価値の高い実用的な見開き構造体となる。
【図面の簡単な説明】
【００１４】
【図１】本実施例を示す正面図である。
【図２】本実施例の動作説明図である。
【図３】本実施例の動作説明図である。
【図４】本実施例の動作説明図である。
【図５】本実施例の要部の説明図である。
【図６】本実施例の要部の動作説明図である。
【図７】本実施例と比較する比較例の要部の説明図である。
【図８】本実施例と比較する比較例の要部の動作説明図である。
【考案を実施するための形態】
【００１５】
好適と考える本考案の実施形態を、図面に基づいて本考案の作用を示して簡単に説明する。
【００１６】
本考案は、第一方形体１の可動板部４を、折れ線３に沿って折り畳み、固定板部５に重合させた状態とし、この状態で第一方形体１及び第二方形体２を折り畳み重合させると、図１に図示したように可動板部４が折り畳まれていることによって第二方形体２の一部が露出した斬新で良好な形態となる。即ち、第一方形体１及び第二方形体２を折り畳み重合させる前に第一方形体１の一部を折り畳むという簡易な手法で極めて体裁を良好とすることができる。
【００１７】
また、本考案は、第一方形体１及び第二方形体２を展開するとともに、第一方形体１の可動板部４を固定板部５に対して展開すると、この可動板部４と固定板部５とに跨って立体６が起立状態となる。この立体６の出現により薄状の見開き構造体に立体的視覚効果を付与することができる。尚、この立体６は、可動板部４を固定板部５に折り畳み重合した際には倒伏状態となっている為、嵩張らない。
【００１８】
また、本考案は、固定板部５に対して可動板部４を展開した後における固定板部５の内面部（例えば第一方形体１の下方領域）は、例えばメッセージやデザインなどの表現手段を表示する表示領域７として有効利用することができるが、折れ線３の一端３ａが第一方形体１の上側縁１ｂの所定位置に、他端３ｂが第一方形体１の外側縁１ｃの所定位置に連設されているから、この表示領域７には、折れ線３等が存在せず、良好な表示機能が発揮される。
【００１９】
即ち、例えば図７に図示したように、第一方形体51は、一端53ａが第一方形体51の上側縁51ｂの所定位置に、他端53ｂが第一方形体51の下側縁51ｄの所定位置に連設される折れ線53に沿って内側に折り畳み重合可能及び展開可能な可動板部54と、残余の固定板部55とで構成されている場合、固定板部55に対して可動板部54を展開した後における固定板部55の内面部（図７中の点線で囲んだ表示領域57）には折れ線53が存在し、良好な表示機能が発揮されなくなってしまう。
【００２０】
この点、本考案は、前述したように折れ線３が表示領域７に存在せず該表示領域７の表示機能が害されることは無い。
【００２１】
また、本考案は、可動板部４と前記固定板部５には、可動板部４を固定板部５に対して折り畳み重合した際には倒伏状態となり、可動板部４を固定板部５に対して展開した際には起立状態となる立体６が跨って設けられているが、折れ線３の一端３ａが第一方形体１の上側縁１ｂの所定位置に、他端３ｂが第一方形体１の外側縁１ｃの所定位置に連設されているから、起立状態とした際に高さのある立体６を出現させることができる。
【００２２】
即ち、例えば図７に図示したように可動板部54と固定板部55には、可動板部54を固定板部55に対して折り畳み重合した際には倒伏状態となり、可動板部54を固定板部55に対して展開した際には起立状態となる立体56（図７の立体は四角錐形状）が跨って設けられ、折れ線53の一端53ａが第一方形体51の上側縁51ｂの所定位置に、他端53ｂが第一方形体51の下側縁51ｄの所定位置に連設されている場合、立体56を倒伏状態とした際に第一方形体51の内に収めようとすると、立体56の大きさ（高さ）が第一方形体51の巾寸法の範囲内に限定されてしまう。
【００２３】
この点、本考案のように折れ線３の一端３ａが第一方形体１の上側縁１ｂの所定位置に、他端３ｂが第一方形体１の外側縁１ｃの所定位置に連設されている場合、図６に図示したように固定板部５に対して可動板部４を折り畳み重合状態とした際に立体６は第一方形体１の角部方向に倒伏させることができるから、それだけ起立状態とした際に高さのある目立つ立体６（図５，６の立体６は四角錐形状）を出現させることができる。
【００２４】
また、立体６は可動板部４を固定板部５に対して折り畳み重合した際、第一方形体１に納まる形状である場合には、第一方形体１及び第二方形体２同士の嵩張らない良好な折り畳み重合状態が得られることになる。
【実施例】
【００２５】
本考案の具体的な実施例について図面に基づいて説明する。
【００２６】
本実施例は、対向する第一方形体１及び第二方形体夫々の内側縁１ａ，２ａ同士２が連設され、この第一方形体１及び第二方形体２同士が折り畳み重合可能及び展開可能に構成されたカードタイプの見開き構造体である。尚、本実施例では、見開き構造体として結婚式の招待状（カード）を採用したが、これに限られるものではなく、本実施例の特性を発揮する構成であれば適宜使用し得るものである。
【００２７】
本実施例では、第一方形体１及び第二方形体２をいずれも紙製の方形片としており、図１〜４に図示したよう二つ折りの方形状（長方形状）に形成している。尚、第一方形体１及び第二方形体２は紙製に限らず、プラスチックの材料で構成されても良い。
【００２８】
具体的には、Ａ５版サイズにして長方形状の材料薄片10の長さ方向中央位置に非貫通スリットから成る縦折れ線部10ａが形成されており、この縦折れ線部10ａは第一方形体１及び第二方形体２の内側縁１ａ，２ａ同士を連設した部位である。
【００２９】
この縦折れ線部10ａは、金型とプレス加工機を用いた打ち抜き加工、或いは、レーザー光線を用いた加工で形成して構成される。
【００３０】
従って、材料薄片10は縦折れ線部10ａをもとに２つ折りにすることができる。
【００３１】
尚、本実施例では、一つの材料薄片10に縦折れ線部10ａを設けて第一方形体１と第二方形体２を連設状態に設けた構造としているが、この第一方形体１と第二方形体２夫々を別の材料薄片同士を連設した構造としても良い。
【００３２】
また、第一方形体１の所定位置には非貫通スリットから成る折れ線３が形成されており、この折れ線３は、金型とプレス加工機を用いた打ち抜き加工、或いは、レーザー光線を用いた加工で形成して構成される。
【００３３】
この折れ線３は、一端３ａが前記第一方形体１の上側縁１ｂの所定位置に、他端３ｂが前記第一方形体１の外側縁１ｃの所定位置に連設されて傾斜直線状に形成されており、よって、第一方形体１は、この折れ線３に沿って内側に折り畳み重合可能及び展開可能な可動板部４と、残余の固定板部５（可動板部４を折れ線３に沿って折り畳み重合する固定板部５）とを有する。
【００３４】
また、本実施例は、折れ線３に沿って可動板部４を固定板部５に対して折り畳み重合した状態において第一方形体１及び第二方形体２同士を縦折れ線部10ａに沿って折り畳み重合可能に構成されている。
【００３５】
従って、図１に図示したような傾斜縁で切り欠いたような部位から第二方形体２の一部が露出する斬新で体裁の良い折り畳み重合状態が得られる。
【００３６】
また、本実施例は、可動板部４と固定板部５とには、可動板部４を固定板部５に対して折り畳み重合した際には薄い倒伏状態となり、可動板部４を固定板部５に対して展開した際には起立状態となる立体６が跨って設けられている。
【００３７】
この立体６は、図２〜４に図示したように紙製の部材で形成した半体６ａ，６ｂ同士を折り曲げ部６’を介して連設したものであり、一方の半体６ａの下部が可動板部４に連設し、他方の半体６ｂの下部が固定板部５に連設しており、折れ線３を境とした部位に設けられている。
【００３８】
具体的には、第一方形体１における折れ線３を境とした左右位置に、立体６を構成する半体６ａ，６ｂ夫々が連結されている。
【００３９】
従って、展開状態の可動板部４を折れ線３に沿って折り畳んだ際、この折れ線３にまたがる状態の立体６が突出状態で現出することになる（図３，４参照）。尚、立体６の根元部へも非貫通スリットから成る根元折り曲げ部６”を形成して立体６の起き上がりが良好に行なわれるように構成されており、この根元折り曲げ部６”は、金型とプレス加工機を用いた打ち抜き加工、或いは、レーザー光線を用いた加工で形成して構成される。
【００４０】
また、この根元折り曲げ部６”の折り曲げ方向を適宜設定する、例えば固定板部５に対して可動板部４を折り畳み可動させた際、立体６が第一方形体１の下側縁１ｄへ向かって倒れるように根元折り曲げ部６”の折り曲げ方向を適宜設定する。
【００４１】
従って、この構成から背の高い良好な立体６を具備することができる。
【００４２】
尚、立体６は前述した構成に限らないのは勿論である。
【００４３】
また、本実施例は、折れ線３の一端３ａは、第一方形体１の上側縁１ｂの最内側点１ｂ’と連設され、他端３ｂは、外側縁１ｃの中央位置に連設されており、第一方形体１の内面部にして少なくとも中央部位から下方は文字やデザインなどの表現手段を表示する表示領域７に設定されている。尚、立体６の大きさとこの表示領域７を広く確保することを考慮すると、折れ線３の他端３ｂは外側縁１ｃの中央位置から上側の所定位置に連設されていることが望ましい。
【００４４】
この表示領域７は、材料薄片10を２つ折りした際、第二方形体２で隠蔽されるように構成されている。
【００４５】
尚、この材料薄片10に印刷される各種文字やデザインは、材料薄片10に加工（折れ線３や縦折れ線部10ａを形成する加工）を行なった後に印刷される。
【００４６】
また、本実施例は、第二方形体２の内面部にはカード９を保持するカード保持部８が設けられている。
【００４７】
このカード保持部８は、図２〜４に図示したように第二方形体２の下方左右位置に表裏に貫通する貫通スリットを形成して構成されており、カード９の下方左右部位を挿入係止し得るように構成されている。
【００４８】
尚、このカード保持部８としては、前述したスリットに限らず、例えばカード９の下方左右部位を挿入係止し得る帯状体や袋状体を設けて構成しても良い。
【００４９】
また、本実施例のカード９は、図４に図示したように二つ折り構造のメッセージカードである。
【００５０】
本実施例は上述のように構成したから、第一方形体１の可動板部４を、折れ線３に沿って折り畳み、固定板部５に重合させた状態とし、この状態で第一方形体１及び第二方形体２を折り畳み重合させると、図１に図示したように可動板部４が折り畳まれていることによって第二方形体２の一部が露出した斬新で良好な形態となる。即ち、第一方形体１及び第二方形体２を折り畳み重合させる前に第一方形体１の一部を折り畳むという簡易な手法で極めて体裁を良好とすることができる。
【００５１】
また、本実施例は、第一方形体１及び第二方形体２を展開するとともに、第一方形体１の可動板部４を固定板部５に対して展開すると、この可動板部４と固定板部５とに跨って立体６が起立状態となる。この立体６の出現により薄状の見開き構造体に立体的視覚効果を付与することができる。尚、この立体６は、可動板部４を固定板部５に折り畳み重合した際には倒伏状態となっている為、嵩張らない。
【００５２】
また、本実施例は、固定板部５に対して可動板部４を展開した後における固定板部５の内面部（例えば第一方形体１の下方領域）は、例えばメッセージやデザインなどの表現手段を表示する表示領域７として有効利用することができるが、折れ線３の一端３ａが第一方形体１の上側縁１ｂの所定位置に、他端３ｂが第一方形体１の外側縁１ｃの所定位置に連設されているから、この表示領域７には、折れ線３等が存在せず、良好な表示機能が発揮される。つまり、本実施例は、第一方形体１に設ける折れ線３の位置を適宜設定するだけで、従来にない使用形態が得られてこの種の製品の商品価値を飛躍的に向上することができる。
【００５３】
また、本実施例は、可動板部４と前記固定板部５には、可動板部４を固定板部５に対して折り畳み重合した際には倒伏状態となり、可動板部４を固定板部５に対して展開した際には起立状態となる立体６が跨って設けられているが、折れ線３の一端３ａが第一方形体１の上側縁１ｂの所定位置に、他端３ｂが第一方形体１の外側縁１ｃの所定位置に連設されているから、起立状態とした際に高さのある立体６を出現させることができる。
【００５４】
また、本実施例は、立体６は可動板部４を固定板部５に対して折り畳み重合した際、第一方形体１に納まる形状である場合には、第一方形体１及び第二方形体２同士の嵩張らない良好な折り畳み重合状態が得られることになる。
【００５５】
また、本実施例は、折れ線３の他端３ｂは、外側縁１ｃの中央位置から上側の所定位置に連設されており、第一方形体１の内面部にして少なくとも中央部位から下方は文字やデザインなどの表現手段を表示する表示領域７に設定されているから、表示領域７を広く確保することができる。
【００５６】
また、本実施例は、第二方形体２の内面部にはカード９を保持するカード保持部８が設けられているから、より一層商品価値の高いものとなる。
【００５７】
また、本実施例は、第一方形体１及び第二方形体２は紙製の方形片であるから、コスト安にして量産性に秀れることになる。
【００５８】
尚、本考案は、本実施例に限られるものではなく、各構成要件の具体的構成は適宜設計し得るものである。
【符号の説明】
【００５９】
１  第一方形体
１ｂ  上側縁
１ｂ’  最内側点
１ｃ  外側縁
２  第二方形体
３  折れ線
３ａ  一端
３ｂ  他端
４  可動板部
５  固定板部
６  立体
７  表示領域
８  カード保持部
９  カード
【図１】
0003182827.tif 000003
【図２】
0003182827.tif 000004
【図３】
0003182827.tif 000005
【図４】
0003182827.tif 000006
【図５】
0003182827.tif 000007
【図６】
0003182827.tif 000008
【図７】
0003182827.tif 000009
【図８】
0003182827.tif 000010